(57)【要約】【課題】シンプルな構成で大掛かりな工事を要することなく、比較的低コストで設置可能で、室内の各区画空間に快適な温度環境を実現し得るセントラル空調システムを提供することを課題とする。【解決手段】空気取り入れ口２を有していて小屋裏に配置される断熱材で包囲された蓄熱室１と、蓄熱室１内に配備されるエアコン６及びダクト用換気扇７と、ダクト用換気扇７から住宅内の各区画空間３２に延びる断熱ダクト８とから成り、温度調整されてエアコン６から出る温冷気が蓄熱室１内においてダクト用換気扇７内に取り込まれ、ダクト用換気扇７から断熱ダクト８を通って各区画空間３２に給気されるようにした。【選択図】図１
2019027720.tif 000002
【特許請求の範囲】
【請求項１】
空気取り入れ口を有していて小屋裏に配置される断熱材で包囲された蓄熱室と、前記蓄熱室内に配備されるエアコン及びダクト用換気扇と、前記ダクト用換気扇から住宅内の各区画空間に延びる断熱ダクトとから成り、
温度調整されて前記エアコンから出る温冷気が前記蓄熱室内において前記ダクト用換気扇内に取り込まれ、前記ダクト用換気扇から前記断熱ダクトを通って前記各区画空間に給気されるようにしたことを特徴とするセントラル空調システム。
【請求項２】
前記蓄熱室の内面がアルミ蒸着シートで被装されている、請求項１に記載のセントラル空調システム。
【請求項３】
一部又は全ての前記断熱ダクトが分岐チャンバーを介して前記ダクト用換気扇に接続される、請求項１又は２に記載のセントラル空調システム。
【発明の詳細な説明】
【技術分野】
【０００１】
本発明は、セントラル空調システムに関するものであり、より詳細には、シンプルな構成で大掛かりな工事を要することなく設置可能なセントラル空調システムに関するものである。
【背景技術】
【０００２】
従来の一般住宅における空調は、各部屋に空調機器を配設して各部屋を個別に空調する方式が基本である。しかるに近時、住宅の高気密高断熱化が進むにつれ、１台の空調機で住宅内の部屋やトイレ、浴室等の区画空間の空調を行うセントラル空調システムが提案され、実施されるようになってきている。
【０００３】
従来提案されているセントラル空調システムは、大まかに言うと、１台又は複数台の空調機器と、各区画に送気するための送風機と、各区画に延びる給気ダクトとで構成され、給気ダクトは床下空間にまで延ばされる（特許文献１：特許第６１２０２３１号公報、特許文献２：特許第５０９４８９４号公報）。
【先行技術文献】
【特許文献】
【０００４】
【特許文献１】特許第６１２０２３１号公報
【特許文献２】特許第５０９４８９４号公報
【発明の概要】
【発明が解決しようとする課題】
【０００５】
上述したように、従来提案されているセントラル空調システムは、１台又は複数台の空調機器と、各区画に送気するための送風機と、各区画に延びる給気ダクトとで構成されていて、給気ダクトは床下空間にまで延ばされ、また、送風機は給気ダクトごとに配備されるのが一般である。そのため、従来提案されているセントラル空調システムは構成が複雑で、設置コストが嵩むという問題がある。
【０００６】
そこで本発明は、シンプルな構成で大掛かりな工事を要することなく、比較的低コストで設置可能で、室内の各区画空間に快適な温度環境を実現し得るセントラル空調システムを提供することを課題とする。
【課題を解決するための手段】
【０００７】
上記課題を解決するための請求項１に係る発明は、空気取り入れ口を有していて小屋裏に配置される断熱材で包囲された蓄熱室と、前記蓄熱室内に配備されるエアコン及びダクト用換気扇と、前記ダクト用換気扇から住宅内の各区画空間に延びる断熱ダクトとから成り、
温度調整されて前記エアコンから出る温冷気が前記蓄熱室内において前記ダクト用換気扇内に取り込まれ、前記ダクト用換気扇から前記断熱ダクトを通って前記各区画空間に給気されるようにしたことを特徴とするセントラル空調システムである。
【０００８】
一実施形態においては、前記蓄熱室の内面がアルミ蒸着シートで被装される。
【０００９】
一実施形態においては、一部又は全ての前記断熱ダクトが分岐チャンバーを介して前記ダクト用換気扇に接続される。
【発明の効果】
【００１０】
本発明に係るセントラル空調システムは上記構成であるので、部品点数が少なく全体的にシンプルな構成で大掛かりな工事を要することなく、比較的低コストにて設置することができて、各階に快適な温度環境の居住空間を生成し得る効果がある。
【図面の簡単な説明】
【００１１】
【図１】本発明に係るセントラル空調システムの構成を示す概略図である。
【図２】本発明に係るセントラル空調システムにおける蓄熱室の構成を示す縦断面図である。
【図３】本発明に係るセントラル空調システムにおいて用いるダクト用換気扇の構成例を示す分解斜視図である。
【図４】本発明に係るセントラル空調システムにおいて用いる分岐チャンバーの構成例を示す部分縦断平面図である。
【発明を実施するための形態】
【００１２】
本発明を実施するための形態について、添付図面に依拠して説明する。本発明に係るセントラル空調システムは、小屋裏３１に配置される断熱材４で包囲された蓄熱室１と、蓄熱室１内に配備されるエアコン６及びダクト用換気扇７と、ダクト用換気扇７から住宅内の各区画空間３２に延びる断熱ダクト８とで構成されるものであり、浄化され、且つ、温度調整されてエアコン６から出る温冷気がダクト用換気扇７内に取り込まれた後、ダクト用換気扇７から断熱ダクト８を通って各区画空間３２に給気されることを特徴とする。
【００１３】
蓄熱室１は、その外表面全体が断熱材４で覆われ、また、好ましい実施形態においては、その内面全体が、ポリエチレン等のアルミ蒸着シート５で被装される（図２参照）。この発泡材付きアルミ蒸着シート５は、蓄熱室１の気密性及び蓄熱性を向上させる役目を果たすもので、発泡材が張着されることもある。
【００１４】
蓄熱室１には、その適宜個所に、小屋裏内の空気を流入させるための空気取り入れ口２が開設される。蓄熱室１を設置する小屋裏の大きさ（高さ）にもよるが、通例、空気取り入れ口２は蓄熱室１の上面、下面あるいは周側面（図示した例では下面）に形成される。後述するように、ダクト用換気扇７が稼働すると蓄熱室１内が負圧状態となり、それに伴い、小屋裏３１内の空気が空気取り入れ口２から蓄熱室１内に自然流入する。
【００１５】
ダクト用換気扇７は、周側面に複数の吸入口１２を有し、また、１又は複数のダクト接続口１１を有する箱形状の本体ケース１０内に、ファン１３とこれを回転駆動するモーターを装備して成るものである。断熱ダクト８の数（区画空間３２の数）が少ない場合（例えば、２〜３）は、ダクト接続口１１を複数設けてそれぞれに断熱ダクト８を接続することとしてもよい。しかし、通例、断熱ダクト８の数（区画空間３２の数）はそれより多くなるので、ダクト接続口１１を１つにし、それにフレキシブルダクト１５を介して分岐チャンバー１４を接続し、各断熱ダクト８を分岐チャンバー１４に接続することとする。分岐チャンバー１４は、ダクト用換気扇７から出るフレキシブルダクト１５の接続口１４ａを１つと、断熱ダクト８の接続口１４ｂを複数有するものである（図４参照）。
【００１６】
エアコン６を経て浄化され、且つ、温度調整された蓄熱室１内の温冷気は、モーターにより駆動されるファン１３の作用で、ダクト用換気扇７の吸入口１２からダクト用換気扇７内に取り込まれる。そして、ダクト用換気扇７のダクト接続口１１からフレキシブルダクト１５及び分岐チャンバー１４を経て各断熱ダクト８を通り、室内ガラリ１６を介して各断熱ダクト８が開口する区画空間３２に供出される。
【００１７】
上層階と下層階の間の天井裏３３に補助換気扇１７が配置される。補助換気扇１７はダクト用換気扇７と同じ構成のもので、上層階の床ガラリ１８から伸びてその吸入口に接続される吸入ダクト１９を介して上層階の空気を取り込み、また、下層階の区画空間３２の天井ガラリ２０から伸びてその吸入口に接続される吸入ダクト１９を介して下層階の空気を取り込む。その取り込んだ空気は、補助換気扇１７の給気口から排気グリル２１を介して大気に放出される。
【００１８】
更に、図１に示されるように、外壁には外気を取り込むためのフード付き給気口２２が設置され、また、各区画空間３２の天井に、各区画空間３２内の空気を小屋裏３１又は天井裏３３に通流させるための通気ガラリ２３が設置される。
【００１９】
以上述べたように、本発明に係るセントラル空調システムは、部品点数が少なく全体的にシンプルな構成で大掛かりな工事を要することなく、比較的低コストにて設置することができて、各階に快適な温度環境の居住空間を生成し得るものであるので、その産業上の利用可能性は大である。
【符号の説明】
【００２０】
１          蓄熱室
２          空気取り入れ口    
４          断熱材
５          アルミ蒸着シート
６          エアコン
７          ダクト用換気扇
８          断熱ダクト
１０        本体ケース
１１        ダクト接続口
１２        吸入口
１３        ファン
１４        分岐チャンバー
１６        室内ガラリ
１７        補助換気扇
１８        床ガラリ
１９        吸入ダクト
２０        天井ガラリ
２１        排気グリル
２２        給気口
２３        通気ガラリ
３１        小屋裏
３２        区画空間
３３        天井裏
【図１】
2019027720.tif 000003
【図２】
2019027720.tif 000004
【図３】
2019027720.tif 000005
【図４】
2019027720.tif 000006